(57)【特許請求の範囲】
【請求項１】
左右方向に長い直管状のハンガー主体１と、
ハンガー主体１の左右端にそれぞれ着脱自在に連結される直管状の第１腕２Ｌ・２Ｒと、
各第１腕２Ｌ・２Ｒにそれぞれ着脱自在に継ぎ足し連結される直管状の第２腕３Ｌ・３Ｒと、
左右端がハンガー主体１と第１腕２Ｌ・２Ｒとの間に着脱自在に接続されて、ハンガー主体１の下方に位置する帯掛け５とからなり、
ハンガー主体１は、これの右端にのみ第１連結ピース１１が突出状に設けてあり、
左側の第１腕２Ｌには、これの右端にのみ第２連結ピース１３が突出状に設けてあり、
右側の第１腕２Ｒには、左右端に連結ピースを備えておらず、
左右の各第２腕３Ｌ・３Ｒには、左右の一端にのみ第３連結ピース１５・１５がそれぞれ突出状に設けてあり、
帯掛け５は、これの左右端にリング部材１７Ｌ・１７Ｒをそれぞれ備えており、
ハンガー主体１の第１連結ピース１１に帯掛け５の右側のリング部材１７Ｒを外嵌した状態で、第１連結ピース１１に右側の第１腕２Ｒの左端を外嵌することにより、ハンガー主体１の右端に帯掛け５の右側のリング部材１７Ｒを挟んで右側の第１腕２Ｒが接続され、
左側の第１腕２Ｌの第２連結ピース１３を帯掛け５の左側のリング部材１７Ｌに、ついでハンガー主体１の左端部に内嵌することにより、ハンガー主体１の左端に帯掛け５の左側のリング部材１７Ｌを挟んで左側の第１腕２Ｌが接続され、左右の各第１腕２Ｌ・２Ｒの遊端部に左右の各第２腕３Ｌ・３Ｒの第３連結ピース１５・１５を内嵌することにより、各第１腕２Ｌ・２Ｒに各第２腕３Ｌ・３Ｒがそれぞれ継ぎ足し連結できるようにした和服用ハンガー。
【請求項２】
左右方向に長い直管状のハンガー主体１と、
ハンガー主体１の左右端にそれぞれ着脱自在に連結される直管状の第１腕２Ｌ・２Ｒと、
各第１腕２Ｌ・２Ｒにそれぞれ着脱自在に継ぎ足し連結される直管状の第２腕３Ｌ・３Ｒと、
左右端がハンガー主体１と第１腕２Ｌ・２Ｒとの間に着脱自在に接続されて、ハンガー主体１の下方に位置する帯掛け５とからなり、
ハンガー主体１は、これの右端にのみ第１連結ピース１１が突出状に設けてあり、
左側の第１腕２Ｌには、これの左右端に第２連結ピース１３と第３連結ピース１５とがそれぞれが突出状に設けてあり、
右側の第１腕２Ｒには、これの右端にのみ第３連結ピース１５を突出状に設けてあり、
帯掛け５は、これの左右端にリング部材１７Ｌ・１７Ｒをそれぞれ備えており、
ハンガー主体１の第１連結ピース１１に帯掛け５の右側のリング部材１７Ｒを外嵌した状態で、第１連結ピース１１に右側の第１腕２Ｒの左端を外嵌することにより、ハンガー主体１の右端に帯掛け５の右側のリング部材１７Ｒを挟んで右側の第１腕２Ｒが接続され、
左側の第１腕２Ｌの第２連結ピース１３を帯掛け５の左側のリング部材１７Ｌに、ついでハンガー主体１の左端部に内嵌することにより、ハンガー主体１の左端に帯掛け５の左側のリング部材１７Ｌを挟んで左側の第１腕２Ｌが接続され、左右の各第１腕２Ｌ・２Ｒの遊端側の第３連結ピース１５・１５に第２腕３Ｌ・３Ｒの一端側を外嵌することにより、各第１腕２Ｌ・２Ｒに各第２腕３Ｌ・３Ｒがそれぞれ継ぎ足し連結できるようにした和服用ハンガー。
【発明の詳細な説明】
【０００１】
【発明の属する技術分野】
本発明は、ハンガー腕が分割されていて左右方向に長く継ぎ足し連結できるようにした和服用ハンガーに関する。
【０００２】
【従来の技術】
この種のハンガーは、実用新案登録第３０４４２５０号公報、実開昭５５−１２４２３６号公報、同５２−１２５９２７号公報などに公知である。そこでのハンガー腕は、直管状のハンガー主体と、ハンガー主体に対して出し入れできる左右一対の伸縮腕とで構成し、各伸縮腕を伸長操作すると、ハンガー腕の全長をハンガー主体の約３倍程度にまで拡大できる。伸縮腕は、ハンガー主体に内嵌する第１腕と、第１腕に内嵌する第２腕とで構成してある。伸縮腕を全退縮した状態において、第２腕が第１腕に、第１腕がハンガー主体にそれぞれ入り込むようになっている。
【０００３】
【発明が解決しようとする課題】
かかる伸縮式の和服用ハンガーは、ハンガー主体に対して左右の第１腕および第２腕をそれぞれ左右外側方に引き出し操作するだけで、使用可能状態にセットできるので使い勝手が良い。
【０００４】
しかし従来の伸縮式は、ハンガー主体に対して第１腕を、第１腕に対して第２腕をそれぞれ入れ子式にして抜け止めを図るので、ハンガー主体、第１腕ついで第２腕がそれぞれ径小化して行き、伸長させた使用状態において同一径で直線状とならず、段差が付いて見掛けが悪い。抜け止め手段などが複雑化し、組み付けにも手間を要し、製作コストが高く付く。
【０００５】
そこで本発明者は、旧に復して和服用ハンガーの全ての構成部品をバラバラに分解し、ユーザーが自ら組み立て得る形式を検討した。ここで、構成部品をバラバラに分割するのは、伸縮式の場合と同様に、左右長を可及的に短くしてコンパクトに包装できるようにするためである。
【０００６】
ところが、分割・組み立て式にしたとき、とくにハンガ主体の下方に備えるべき帯掛けが存在するために、ユーザーが構成部品の組み立て手順に戸惑い、強引に誤った手順に従ったとき、帯掛けのリング部材（後述する）などに変形損傷を与えるおそれがある。
【０００７】
そこで本発明は、バラバラに分割されている構成部品がユーザーの手で紛うことなく、従って帯掛けなどにも変形や損傷を生じることなく容易に組み立てることができる和服用ハンガーを提供することにある。
【０００８】
【発明が解決しようとする手段】
本発明に係る和服用ハンガーは、図１ないし図３に示すごとく左右方向に長い直管状のハンガー主体１と、ハンガー主体１の左右端にそれぞれ着脱自在に連結される直管状の第１腕２Ｌ・２Ｒと、各第１腕２Ｌ・２Ｒにそれぞれ着脱自在に継ぎ足し連結される直管状の第２腕３Ｌ・３Ｒと、左右端がハンガー主体１と第１腕２Ｌ・２Ｒとの間に着脱自在に接続されて、ハンガー主体１の下方に位置する帯掛け５とからなる。ハンガー主体１は、これの右端にのみ第１連結ピース１１が突出状に設けてある。左側の第１腕２Ｌには、これの右端にのみ第２連結ピース１３が突出状に設けてある。右側の第１腕２Ｒには、左右端に連結ピースを備えていない。左右の各第２腕３Ｌ・３Ｒには、左右の一端にのみ第３連結ピース１５・１５がそれぞれ突出状に設けてある、帯掛け５は、これの左右端にリング部材１７Ｌ・１７Ｒをそれぞれ備えている。
【０００９】
かくして、ハンガー主体１の第１連結ピース１１に帯掛け５の右側のリング部材１７Ｒを外嵌した状態で、第１連結ピース１１に右側の第１腕２Ｒの左端を外嵌することにより、ハンガー主体１の右端に帯掛け５の右側のリング部材１７Ｒを挟んで右側の第１腕２Ｒが接続され、左側の第１腕２Ｌの第２連結ピース１３を帯掛け５の左側のリング部材１７Ｌに、ついでハンガー主体１の左端部に内嵌することにより、ハンガー主体１の左端に帯掛け５の左側のリング部材１７Ｌを挟んで左側の第１腕２Ｌが接続され、左右の各第１腕２Ｌ・２Ｒの遊端部に左右の各第２腕３Ｌ・３Ｒの第３連結ピース１５・１５を内嵌することにより、各第１腕２Ｌ・２Ｒに各第２腕３Ｌ・３Ｒがそれぞれ継ぎ足し連結できるようにしたものである。
【００１０】
また、本発明は、先のハンガー主体１と、第１腕２Ｌ・２Ｒと、第２腕３Ｌ・３Ｒと、帯掛け５とからなる和服用ハンガーにおいて、図４に示すごとく、ハンガー主体１は、これの右端にのみ第１連結ピース１１が突出状に設けてあり、左側の第１腕２Ｌには、これの左右端に第２連結ピース１３と第３連結ピース１５とがそれぞれが突出状に設けてあり、右側の第１腕２Ｒには、これの右端にのみ第３連結ピース１５を突出状に設けてあり、帯掛け５は、これの左右端にリング部材１７Ｌ・１７Ｒをそれぞれ備えている。そして、ハンガー主体１の第１連結ピース１１に帯掛け５の右側のリング部材１７Ｒを外嵌した状態で、第１連結ピース１１に右側の第１腕２Ｒの左端を外嵌することにより、ハンガー主体１の右端に帯掛け５の右側のリング部材１７Ｒを挟んで右側の第１腕２Ｒが接続され、左側の第１腕２Ｌの第２連結ピース１３を帯掛け５の左側のリング部材１７Ｌに、ついでハンガー主体１の左端部に内嵌することにより、ハンガー主体１の左端に帯掛け５の左側のリング部材１７Ｌを挟んで左側の第１腕２Ｌが接続され、左右の各第１腕２Ｌ・２Ｒの遊端側の第３連結ピース１５・１５に第２腕３Ｌ・３Ｒの一端側を外嵌することにより、各第１腕２Ｌ・２Ｒに各第２腕３Ｌ・３Ｒがそれぞれ継ぎ足し連結できるようにしたものである。
【００１１】
【発明の効果】
本発明に係る和服用ハンガーは、ハンガー主体１と、左右一組の第１腕２Ｌ・２Ｒと、左右一対の第２腕３Ｌ・３Ｒと、帯掛け５との合計６部品に分割されている。従って、全体をバラバラに分割した状態でコンパクトに包装ないし収納保管できる。ハンガー主体１、第１腕２Ｌ・２Ｒおよび第２腕３Ｌ・３Ｒは、いずれも直管状を呈しているので、同一外径寸法とすることにより、組み立て状態において一直線状に段差なく接続でき、和服を掛ける際などに和服を傷付けることがなく、外観上の体裁も良いものとなる。
【００１２】
そのうえで、ハンガー主体１には、これの右端側にのみ第１連結ピース１１を設けてあるので、ユーザーは帯掛け５の右側ング部材１７Ｒを第１連結ピース１１に外嵌装着することになる。この第１組み立て手順さえ判かれば、後は間違えることなく全体を組み立てて行くことができる。従って、ユーザーは迷わずに容易にかつ正しく組み立てることができる利点を有する。
【００１３】
【発明の実施の態様】
（第１実施例）  図１ないし図３は本発明に係る和服用ハンガーの第１実施例を示しており、左右方向に延びるハンガー主体１と、ハンガー主体１の左右端に着脱自在に連結される左右一組の第１腕２Ｌ・２Ｒと、第１腕２Ｌ・２Ｒの端に着脱自在に連結される左右一対の第２腕３Ｌ・３Ｒと、ハンガー主体１の下方に着脱自在に装備される帯掛け５とからなる。ハンガー主体１、第１腕２Ｌ・２Ｒおよび第２腕３Ｌ・３Ｒは、いずれも左右方向に長い同一直径の直管状を呈しており、円形のプラスチック管を所定長さに切断して得られる。
【００１４】
ハンガー主体１は、左右方向の中央部に掛止具６を有する。この掛止具６は、ハンガー主体１の中央部左右に外嵌して接着固定した一対の吊持リング７と、両リング７に止め付けた吊持紐９と、吊持紐９の中央部に取り付けたフック１０とからなる。
【００１５】
図１においてハンガー主体１の右端には、これによりも小径で短尺の円形プラスチック管からなる第１連結ピース１１の一端部を内嵌して接着剤で固定することにより、ハンガー主体１の右端に第１連結ピース１１が横外側方に向けて突出している。この第１連結ピース１１には、割り溝１２を管軸方向にわたって入れてある。
【００１６】
左右の第１腕２Ｌ・２Ｒは同一長さである。そのうち、左側の第１腕２Ｌの右端には、先の第１連結ピース１１と同一形状の第２連結ピース１３が同じ要領で横外側方に突出状態で設けてある。右側の第１腕２Ｒには、第２連結ピース１３の類が一切設けられていない。
【００１７】
左右の各第２腕３Ｌ・３Ｒは、同一形の対象形状に形成されており、一端側に先の第１連結ピース１１と同一形状の第３連結ピース１５がそれぞれ同じ要領で横外側方に突出状態で設けられており、かつ他端側にエンドキャップ１６がそれぞれ固定されている。
【００１８】
帯掛け５は、ハンガー主体１よりも小径の円形プラスチック管からなり、左右横長の直線部５ａの左右端を上向きに折り曲げて正面視でＵ字状に形成してあり、左右の上向き折り曲げ部５ｂ・５ｂの上端に円形のリング部材１７Ｌ・１７Ｒがそれぞれ止め付けられている。このリング部材１７Ｌ・１７Ｒは帯掛け５に一体にプラスチック成形されていてもよい。
【００１９】
ハンガー主体１は外直径が約２０cmで左右長さが約４１cm、第１腕２Ｌ・２Ｒの左右長さは約３2.５cm、第２腕３Ｌ・３Ｒの左右長さは約９cmである。
【００２０】
かくして、和服用ハンガーの全体は、掛止具６付きのハンガー主体１、左右の第１腕２Ｌ・２Ｒ、左右の第２腕３Ｌ・３Ｒ、帯掛け５の６部品がバラバラの分割状態で用意され、これらがひとつの包装容器に収納されて販売に供される。
【００２１】
組み立てに際しては、まずハンガー主体１の第１連結ピース１１を割り溝１２を介して縮径状態にして、第１連結ピース１１に帯掛け５の右側リング部材１７Ｒを外嵌し、ハンガー主体１の右端に右側リング部材１７Ｒを当て付ける。この状態下において、帯掛け５の左側リング部材１７Ｌは、ハンガー主体１の左端に臨むブラブラの状態下にある。なお、ユーザーが購入した状態下で既にハンガー主体１に帯掛け５が上記の状態で付設されていてもよい。
【００２２】
次に、左側の第１腕２Ｌを帯掛け５の左側リング部材１７Ｌついでハンガー主体１の左端部に内嵌し、ハンガー主体１の左端と左側第１腕２Ｌの右端とで左側リング部材１７Ｌを挟む。その後に、右側第１腕２Ｒの左端部をハンガー主体１の第１連結ピース１１に外嵌し、ハンガー主体１の右端と右側第１腕２Ｒの左端との間に帯掛け５の右側リング部材１７Ｒを挟む。
【００２３】
最後に、左右の各第１腕２Ｌ・２Ｒの遊端部に左右の第２腕３Ｌ・３Ｒの第３連結ピース１５・１５を内嵌し、第１腕２Ｌ・２Ｒと第２腕３Ｌ・３Ｒとのそれぞれの端面どうしを突き合わせる。
【００２４】
上記の要領で組み立てられた和服用ハンガーは、左右方向に長尺となり、これに和服を掛け、帯掛け５に主として帯を、又は帯に代えて小物を掛けることになる。
【００２５】
（第２実施例）  図４は本発明の第２実施例を示しており、この場合の左側の第１腕２Ｌは右端に第２連結ピース１３を、左端に第３連結ピース１５をそれぞれ前述の要領で設けてあり、右側の第１腕２Ｒは右端にのみ第２連結ピース１５を設けてある。そして、左右の各第２腕３Ｌ・３Ｒは、外端側にのみエンドキャップ１６を設け、内端側に連結ピースの類を設けていない左右対称の同一形状となっている。その他の構成は第１実施例と同様である。
【００２６】
この第２実施例によれば、第１腕２Ｌ・２Ｒに第２腕３Ｌ・３Ｒを継ぎ足し連結するに際し、第１腕２Ｌ・２Ｒ側の第３連結ピース１５・１５に第２腕３Ｌ・３Ｒのエンドキャップ１６とは反対側の開口部をそれぞれ外嵌装着することになる。
【００２７】
上記の各実施例において、左右の位置関係は説明の都合上のものであり、左右の向きが逆の関係になっていても本発明に含まれることは言うまでもない。また、第１腕２Ｌ・２Ｒにそれぞれ第２腕３Ｌ・３Ｒを先に連結したのち、第１腕２Ｌ・２Ｒをハンガー主体１に継ぎ足す組み付け要領をユーザーに促すことも本発明の予測するところである。
【図面の簡単な説明】
【図１】第１実施例における分割状態での正面図
【図２】第１実施例における組み立て状態での正面図
【図３】要部の縦断正面図
【図４】第２実施例における分割状態での正面図
【符号の説明】
１  ハンガー主体
２Ｌ  左側の第１腕
２Ｒ  右側の第１腕
３Ｌ  左側の第２腕
３Ｒ  右側の第２腕
５  帯掛け
１１  第１連結ピース
１２  割り溝
１３  第２連結ピース
１５  第３連結ピース
【図１】
0004801834.tif 000002
【図２】
0004801834.tif 000003
【図３】
0004801834.tif 000004
【図４】
0004801834.tif 000005